(57)【要約】      （修正有）【課題】小さく折りたたむことが容易で携帯性に優れており、冷えも防止できるし、当たりの硬さを軽減することもできるようにした、小さくたためる携帯用座布マットを提供する。【解決手段】複数のピース１に連結片５を設けることにより、折りたたむことが可能にしてある。ピース１は弾性材料と弾性材料の座面を覆う座面部材と弾性材料の裏面を覆う断熱性フィルムとから構成してある。【選択図】図１
0003145387.tif 000002
【実用新案登録請求の範囲】
【請求項１】
複数のピースと、該各ピースを平坦状に連結する連結片とから構成してなる、小さくたためる携帯用座布マット。
【請求項２】
複数のピースと、該各ピースを平坦状に連結する連結シートとから構成してなる、小さくたためる携帯用座布マット。
【請求項３】
前記ピースは、弾性材料からなるシート部と、該シート部の表面を織布、不織布、編成材、またはフィルムのいずれかの材料で被覆する座面部とから構成してあることを特徴とする、請求項１又は２記載の、小さくたためる携帯用座布マット。
【請求項４】
前記ピースは、裏面を断熱性フィルムで覆ってあることを特徴とする請求項１又は２記載の、小さくたためる携帯用座布マット。
【請求項５】
前記ピースのいずれかに、複数のピースを折りたたんだ状態に保つためのバンドを設けてあることを特徴とする請求項１又は２記載の、小さくたためる携帯用座布マット。
【請求項６】
前記連結片は、伸縮性材料によって成形してあることを特徴とする請求項１記載の、小さくたためる携帯用座布マット。
【請求項７】
前記連結片のいずれかに、複数のピースを折りたたんだ状態に保つためのバンドを設けてあることを特徴とする請求項１記載の、小さくたためる携帯用座布マット。
【請求項８】
前記連結シートに、複数のピースを折りたたんだ状態に保つためのバンドを設けてあることを特徴とする請求項２記載の、小さくたためる携帯用座布マット。
【考案の詳細な説明】
【技術分野】
【０００１】  本考案は、野外催事、スポーツ観戦、待合室、屋外ベンチなどに腰を下ろす時に用いて好適な、小さくたためる携帯用座布マットに関する。
【背景技術】
【０００２】  従来は、スポーツ観戦、屋外ベンチなどに腰を下ろす時、人によっては冷え防止、硬さ軽減、汚れ防止のため、自前の小さなクッションやハンカチなどを持参して対応していた。また、縦罫線３によって区分けされた、複数の矩形片の各々には、二つ折りにされる位置に対応する部分に二本の平行な横罫線を形成することにより、折りたたむことが可能な下敷きシートが提案されている（特許文献１）。
【特許文献１】  実開平６−５１７１０号公報
【考案の開示】
【考案が解決しようとする課題】
【０００３】  しかし、クッションは小さいものであっても折りたたみづらくかさばるし、持ち運ぶのも面倒である。またハンカチなどで代用すると、ずれたりするなどの不都合が生じた。さらに、特許文献１の考案は、シートは全体が一枚ものであるため小さく折りたたむにも限界がある。【０００４】  本考案は、上述した従来技術の欠点に鑑みなされたもので、小さく折りたたむことが容易で携帯性に優れており、冷えも防止できるし、当たりの硬さを軽減することもできるようにした、小さくたためる携帯用座布マットを提供する。
【課題を解決するための手段】
【０００５】  上述した課題を解決するために構成した請求項１にかかる考案の手段は、複数のピースと、該各ピースを平坦状に連結する連結片とからなる。【０００６】  請求項２にかかる考案の手段は、複数のピースと該各ピースを平坦状に連結する連結シートからなる。【０００７】  そして、前記ピースは弾性材料からなるシート部と該各シート部の表面を織布、不織布、編成材、またはフィルムのいずれかの材料で被覆する座面部とから構成するとよい。【０００８】  また、前記ピースは裏面を断熱性フィルムで覆うと良い。【０００９】  さらに、前記ピースのいずれかに、複数のピースを折りたたんだ状態に保つためのバンドを設けると良い。【００１０】  また、前記連結片は伸縮性材料によって成形するとよい。【００１１】  また、前記連結片のいずれかに、複数のピースを折りたたんだ状態に保つためのバンドを設けると良い。【００１２】  そして、前記連結シートに、複数のピースを折りたたんだ状態に保つためのバンドを設けると良い。
【考案の効果】
【００１３】    本考案は、上述のごとく構成したから、下記の諸効果を奏する。
（１）複数のピースを連結片や連結シートで連結したから折りたたんだり、展開することができるので、野外催事、スポーツ観戦、待合室、車内で靴を脱いだ時、荷物置き場、野外ベンチでの汚れ防止、冷たく硬いイスからの保温など幅広く利用でき、携帯することが可能である。
（２）小さく折りたため軽量なので子どもや高齢者も手軽にバッグやカバンなどに入れて携帯することができる。
（３）弾性材料からなる座面部の表面を不織布などの材料で被覆したので、使用に伴ってシート部がいたむのを防止できる。
（４）ピースの裏面を断熱性フィルムで覆ったので、冷たいベンチや草原で腰を下ろした時に冷えや汚れの防止ができる。
（５）連結片に伸縮性材料を用いたから、隣接するピースを隙間なく連結することができ、使用時の安心感、保温性がある。
（６）複数のピースを、折りたたんだ状態を保つためのバンドを設けることにより、コンパクトに携帯することが可能である。
【考案を実施するための最良の形態】
【００１４】  図１〜図４によって本考案を実施するための第一の実施の形態について説明する。図１に携帯用座布マットの全体構成を示す。この携帯用座布マットは、９つのピース１によって構成してある。各々のピース１は弾性材料２と座面部材３と断熱性フィルム４から構成される。そして、各々のピース１は２本の連結片５で繋いである。【００１５】  図２に携帯用座部マットの断面構成を示す。弾性材料２には、例えば発泡ポリエチレン、軟質ゴムなどからなるシートを使用することにより、座ったときの硬さを軽減できるようにしてある。【００１６】  座面部材３は、例えば不織布、織布、編成材料、シートなどのいずれかの材料を用いる。座面部材３は弾性材料２の座面を覆うとこにより使用時に肌触りが良く、また、ピース１がいたむのを防止していて、さらに、座面部材３にアップリケ、スポンサー表示、シンボルマークなどを施すことによりプロモーション性、ファッション性を持たせることも可能である。【００１７】  断熱性フィルム４を弾性材料２の裏面に施すことにより、冷たいベンチ、草原で腰を下ろしたときに、冷え、汚れの影響を受けにくくした。【００１８】  連結片５は、例えば２本の織布などで構成し、各々のピースを繋ぐことにより、本座布マットは小さく折りたたむことが可能になり携帯しやすいものとなる。【００１９】  本実施の形態にかかる携帯用座布マットは、上述の構成からなっており、例えば、縦横３５ｃｍ、ピース１の縦横は１０ｃｍ、厚さ０．５ｃｍとしてある。【００２０】  また、図４は携帯用座布マットの変形例であり、１本の連結片で各々のピース１を繋いでいる。なお、ピース１の形は円形や多角形でもよい。【００２１】  図３に示すように、バンド６は弾性を有するゴムなどでなり、９枚のピース１を折りたたみ重ね合わせると１枚のピース１の大きさになり、周りを束ねこの状態に保つために設けたもので、これにより形が整い携帯性に優れたものになる。【００２２】  なお、織布からなる連結片５に変えて、例えばレーヨンスパンテックスのような伸縮性のある材料を用いることによりピース１間の隙間を小さくすることができるし折りたたみも容易である。【００２３】  シート７は図５および図６に示すように、弾性材料２と座面部材３の間に設け、各々のピース１を繋いで一体化させた例である。このように構成したからピース１、１の隙間はシート７でふさいだ状態になっているので、雑草、土、泥などの汚れを気にすることなく使用することが可能である。【００２４】  なお、連結シート７とピース１とにより、携帯用座布マットを構成する場合も第１の実施の形態と同様にバンド６を取着して小さく折りたたんだ状態を保つことができる。
【図面の簡単な説明】
【００２５】
【図１】本考案の実施の形態にかかる携帯用座布マットの斜視図である。
【図２】図１中のＩＩ−ＩＩ矢示方向拡大断面図である。
【図３】本考案の携帯用座布マットをたたんだ時の斜視図である。
【図４】変形例携帯用座布マットの斜視図である。
【図５】連結シートを用いた携帯用座布マットの斜視図である。
【図６】図５中のＶＩ−ＶＩの矢示方向拡大断面図である。
【符号の説明】
【００２６】１    ピース
２    弾性材料
３    座面部材
４    断熱性フィルム
５    連結片
６    バンド
７    連結シート
【図１】
0003145387.tif 000003
【図２】
0003145387.tif 000004
【図３】
0003145387.tif 000005
【図４】
0003145387.tif 000006
【図５】
0003145387.tif 000007
【図６】
0003145387.tif 000008